(57)【要約】【課題】  蓋の環状弾性係止体が圧着する飲用容器の開口部位の内周側面を内部側に向けて斜め上向きに傾けて形成して、環状弾性係止体の弾性復帰により蓋が自然に外れ易くなるのを防ぎ、また、飲用容器の開口部を蓋で塞いだままで、蓋の注出口に直接口を付けて飲む際に、鼻が蓋の表面に当たらず飲み易くする。【解決手段】  蓋２の環状弾性係止体２１が圧着する飲用容器３の開口部位３１の内周側面３１ａを内部側に向けて斜め上向きに傾けて形成すると共に、蓋２の表面側を凹曲面２２に形成し、蓋表面の凹曲面２２の周縁側の一部に注出口２３を形成した。【選択図】        図５
0003124841.tif 000002
【実用新案登録請求の範囲】
【請求項１】
厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器において、蓋の環状弾性係止体が圧着する飲用容器の開口部位の内周側面を内部側に向けて斜め上向きに傾けて形成したことを特徴とする蓋付き飲用容器。
【請求項２】
厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器において、蓋の環状弾性係止体が圧着する飲用容器の開口部位の内周側面を内部側に向けて斜め上向きに傾けて形成すると共に、蓋の表面側を凹曲面に形成し、蓋表面の凹曲面の周縁側の一部に注出口を形成したことを特徴とする蓋付き飲用容器。
【請求項３】
厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器において、蓋の環状弾性係止体が圧着する飲用容器の開口部位の内周側面を内部側に向けて斜め上向きに傾けて形成すると共に、蓋の表面側を凹曲面に形成し、蓋表面の凹曲面の周縁側の一部に注出口を形成し、蓋の高さ方向の中間部分の外周側面に全周にわたって張り出す鍔片を突出形成し、鍔片より下側の蓋の外周側面に環状弾性係止体を装着する装着溝を全周にわたって形成し、鍔片より上側の蓋の上部外周側面を上側に向けてその直径が小さくなる凹曲面状に形成し、飲用容器の外周側面に把手を設けたことを特徴とする蓋付き飲用容器。
【考案の詳細な説明】
【技術分野】
【０００１】
この考案は、厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器に係り、特に、蓋の環状弾性係止体が圧着する飲用容器の開口部位の内周側面を内部側に向けて斜め上向きに傾けて形成して、環状弾性係止体の弾性復帰により蓋が自然に外れ易くなるのを防ぐようにした蓋付き飲用容器に関するものである。
【背景技術】
【０００２】
厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器が知られている。
この蓋付き飲用容器は、蓋の外周側面に装着した環状弾性係止体が飲用容器の開口部位の内周側面に弾性変形しながら圧着することにより、蓋付き飲用容器が傾いたり或いは倒れても蓋が簡単に外れず、飲用容器内の液体が漏れたり溢れたりするのを防ぐ効果がある。
そして、上記蓋を飲用容器の開口部に装着したとき、蓋の外周側面に装着した厚みに対して半径方向の幅が大きい環状弾性係止体は、その外周縁側が飲用容器の開口部位の内周側面に当接して斜め上向きに弾性変形した状態で圧着する。
一方、蓋が装着される飲用容器の開口部位の内周側面は、上面に向かって外周側に向けて傾斜或いは丸みを帯びるようになっている。つまり飲用容器の開口部位の内周側面の内径は上側に向けて僅かに拡開する構造になっている。
また、蓋付き飲用容器にあっては、蓋を開けることなく塞いだままで内部の液体を飲むようにすると、飲用容器の開口部を塞ぐ蓋により、内部の液体が熱いものの場合には冷めにくく、逆に内部の液体が冷たい場合には暖まりにくく、また内部の液体が開口部から溢れにくくするなどの利点がある。このため、蓋の一部に注出口を形成し、この注出口にストローを差し込んで内部の液体を蓋を装着した状態で飲めるようにしたものが考えられる。
【考案の開示】
【考案が解決しようとする課題】
【０００３】
しかしながら、図８に図示するように、飲用容器１０１の開口部位の内周側面１０２との間に圧着された蓋１０３ａの環状弾性係止体１０４ａには、元の状態に弾性復帰しようとする力が常時作用し、この弾性復帰力は環状弾性係止体を上向きに押し上げる向きに作用する。また、前記のように蓋が装着される従来の飲用容器１０１の開口部位の内周側面１０２は、上側に向かって外周側に向けて傾斜或いは丸みを帯びて上側に向けて内径が僅かに拡開する構造になっている。
このため、飲用容器１０１の内周側面１０２が該容器内に入っている液体により湿っていると、飲用容器１０１の開口部位の内周側面１０２とこれに圧着している蓋１０３ａの環状弾性係止体１０４ａとの接触面の摩擦抵抗が小さくなって滑り易くなり、環状弾性係止体に常時作用している上向きの力によって環状弾性係止体１０４ｂが上方に移動し、上方に移動する環状弾性係止体１０４ｂにより環状弾性係止体１０４ｂが装着されている蓋１０３ｂを押し上げ、飲用容器１０１の開口部位の内周側面１０２に圧着していた蓋１０３ｃの環状弾性係止体１０４ｃはその圧着状態が解除される。
その結果、飲用容器が傾いたり倒れたりすると、飲用容器の開口部を塞いでいた蓋が簡単に外れて、内部の液体が漏れたり溢れたりして、その周囲を汚してしまうという問題があった。
また、飲用容器の開口部を蓋で塞いだままで、内部の液体をストローを使用せずに注出口に直接口を付けて飲むようにすると、鼻が蓋の表面に当たり飲みにくいという問題があった。
【０００４】
この考案は、上記のような課題に鑑み、その課題を解決すべく創案されたものであって、その目的とするところは、蓋の環状弾性係止体が圧着する飲用容器の開口部位の内周側面を内部側に向けて斜め上向きに傾けて形成して、環状弾性係止体の弾性復帰により蓋が自然に外れ易くなるのを防ぐことのできる飲用容器を提供することにある。また、他の目的とするところは、飲用容器の開口部を蓋で塞いだままで、蓋の注出口に直接口を付けて飲む際に、鼻が蓋の表面に当たらず飲み易くした飲用容器を提供することにある。
【課題を解決するための手段】
【０００５】
以上の目的を達成するために、請求項１の考案は、厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器において、蓋の環状弾性係止体が圧着する飲用容器の開口部位の内周側面を内部側に向けて斜め上向きに傾けて形成した手段よりなるものである。
【０００６】
また、請求項２の考案は、厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器において、蓋の環状弾性係止体が圧着する飲用容器の開口部位の内周側面を内部側に向けて斜め上向きに傾けて形成すると共に、蓋の表面側を凹曲面に形成し、蓋表面の凹曲面の周縁側の一部に注出口を形成した手段よりなるものである。
【０００７】
また、請求項３の考案は、厚みに対して半径方向の幅が大きい環状弾性係止体を蓋の外周側面に装着し、この環状弾性係止体が飲用容器の開口部位の内周側面に弾性変形しながら圧着して蓋が飲用容器から簡単に外れないようにした蓋付き飲用容器において、蓋の環状弾性係止体が圧着する飲用容器の開口部位の内周側面を内部側に向けて斜め上向きに傾けて形成すると共に、蓋の表面側を凹曲面に形成し、蓋表面の凹曲面の周縁側の一部に注出口を形成し、蓋の高さ方向の中間部分の外周側面に全周にわたって張り出す鍔片を突出形成し、鍔片より下側の蓋の外周側面に環状弾性係止体を装着する装着溝を全周にわたって形成し、鍔片より上側の蓋の上部外周側面を上側に向けてその直径が小さくなる凹曲面状に形成し、飲用容器の外周側面に把手を設けた手段よりなるものである。
【考案の効果】
【０００８】
以上の記載より明らかなように、請求項１〜請求項３の考案に係る蓋付き飲用容器によれば、飲用容器の内周側面が該容器内に入っている液体により湿ることで、飲用容器の開口部位の内周側面とこれに圧着している蓋の環状弾性係止体との接触面の摩擦抵抗が小さくなって滑り易くなり、また、飲用容器の開口部位の内周側面との間に圧着された蓋の環状弾性係止体に常時作用する元の状態に弾性復帰しようとする弾性復帰力によって環状弾性係止体を上向きに押し上げる向きに作用するが、蓋の環状弾性係止体が圧着する飲用容器の開口部位の内周側面を内部側に向けて斜め上向きに傾けて形成したことにより、環状弾性係止体を上向きに押し上げる力を斜め上向きに傾けて形成した内周側面により阻止することができる。これにより、環状弾性係止体の弾性復帰により蓋が自然に外れ易くなるのを防ぐことができ、飲用容器が傾いたり倒れたりしても、飲用容器の開口部を塞いでいた蓋が簡単に外れて内部の液体が漏れたり溢れたりすることがなく、漏れたり溢れたりする液体でその周囲を汚してしまうこともない。
【０００９】
また、請求項２〜請求項３の考案に係る蓋付き飲用容器によれば、前記の効果に加えて、蓋の表面側を凹曲面に形成し、蓋表面の周縁側の一部に注出口を形成したことにより、飲用容器の開口部を蓋で塞いだままで、内部の液体を注出口に口を付けた状態で直接飲む際に、蓋の表面側が凹曲面に形成されているために鼻が蓋の表面に当たるのを防ぐことができ、鼻が蓋表面に当たることで注出口に口を付けて飲みにくくなるという欠点を解消することができ、飲用容器の開口部を蓋で塞いで飲む利点、つまり内部の液体が熱いものの場合には冷めにくく、逆に内部の液体が冷たい場合には暖まりにくく、また内部の液体が開口部から溢れにくくするなどの保温性に優れている利点やゴミが入りにくい利点をそのまま享受することができる。しかも、勢いよく飲用容器を傾けても内部の液体が溢れて鼻などに入ることもない。さらに、注出口に直に口を付ける場合に上唇も蓋の表面側が凹曲面も形成されて窪んでいるために押し当て易くなり、飲み易くなると共に飲む際に上唇との間の隙間を無くしてそこから溢れにくくすることができる。このような利点があるため、病人などが使用するには適している。即ち、病人のように一度に飲用容器内の液体を飲み干すことができず、時間をかけて少しずつ飲む者には保温性がよく、ゴミも入りにくく適している。
【００１０】
また、請求項３の考案に係る蓋付き飲用容器によれば、前記の効果に加えて、蓋の高さ方向の中間部分の外周側面に全周にわたって張り出す鍔片を突出形成したことにより、鍔片がストッパーの機能を果たして蓋が必要以上に飲用容器の内部に押し込まれるのを防ぐことができる。また、鍔片より下側の蓋の外周側面に環状弾性係止体を装着する装着溝を全周にわたって形成したことにより、環状弾性係止体を確実に蓋の外周側面に装着させることができる。さらに、鍔片より上側の蓋の上部外周側面を上側に向けてその直径が小さくなる凹曲面状に形成したことにより、注出口に直に口を付ける場合に下唇がその凹曲面状の上部外周側面に押し当て易くなり、飲み易くなると共に飲む際に下唇との間の隙間を無くしてそこから溢れにくくすることができる。さらにまた、飲用容器の外周側面に把手を設けたことにより、片手で把手を掴んで手軽に飲むことができ、飲用容器内の液体が熱い場合に、飲用容器の側面を直に掴んで手をやけどしたり、飲用容器が熱すぎておもわず掴んでいた手を離して飲用容器を誤って落としてしまうこともない。また、飲用容器の開口部を蓋で塞いでいる場合には、片手で把手を掴んで勢いよく飲用容器を傾けても内部の液体が溢れることもない等、極めて実用的有益なる効果を奏するものである。
【考案を実施するための最良の形態】
【００１１】
以下、図面に記載の考案を実施するための最良の形態に基づいて、この考案をより具体的に説明する。
ここで、図１は蓋付き飲用容器の斜視図、図２は蓋付き飲用容器の側面図、図３は蓋付き飲用容器の平面図、図４は環状弾性係止体の斜視図、図５は図３のＡ−Ａ矢視断面図、図６は要部の部分拡大断面図、図７は飲料時の断面図である。
【００１２】
図において、蓋付き飲用容器１は、環状弾性係止体２１を装着した蓋２と飲用容器３から構成され、環状弾性係止体２１の弾性復帰により蓋２が飲用容器３から自然に外れ易くなるのを防ぐことができるものである。蓋２や飲用容器３は例えば陶磁器製が使用されるがこれ以外の材質例えばプラスチック製でも特に問題はない。
【００１３】
蓋２は飲用容器３の開口部を塞ぐもので、蓋２の外周側面には環状弾性係止体２１が装着されている。蓋２の表面側には凹曲面２２が形成され、凹曲面２２の周縁側の一部に注出口２３が形成され、蓋２の外周側面には鍔片２４が形成され、その下側には環状弾性係止体２１が装着される装着溝２５が形成されている。
【００１４】
蓋２は、平面からみて例えば円形の外形を有しており、また一定の高さを有している。その内部側は空洞となっていて、注出口２３を除いた凹曲面２２が形成された表面側及び側周面は塞がれており、その下面側は開口されて内部の空洞に連通している。
【００１５】
環状弾性係止体２１は飲用容器３の開口部位３１の内周側面３１ａに圧着して蓋２が簡単に外れないようにする機能を果たす。環状弾性係止体２１は厚みに対して半径方向の幅が大きい円形環状板からなる。環状弾性係止体２１は外周側の直径が飲用容器３の開口部位３１の内周側面３１ａの直径より大きくなっている。また、環状弾性係止体２１はその材質が弾性材からなり、例えばシリコン製ゴムが使用される。
【００１６】
蓋２の外周側面に装着された環状弾性係止体２１は直径が最大な外周側が縮小して斜め上向きに傾斜した状態で、飲用容器３の開口部位３１の内周側面３１ａに圧着される。このため、蓋２の外周側面に装着された環状弾性係止体２１には、直径が縮小している外周側に元の広い直径の状態に弾性復帰しようとする力が常時働くことになり、蓋２を押し上げようとする上向きの力が生じることになる。
【００１７】
蓋２の表面側は凹曲面２２に形成されている。凹曲面２２は例えば球面に対応する凹状球面の一部の形状から形成されている。凹曲面２２は飲用容器３に蓋２をしたままで注出口２３に口を付けて飲む場合に鼻が蓋２の表面に当たるのを防ぐために形成されたものである。また、上唇も蓋２の表面側が窪んでいるために押し当て易くなる。
【００１８】
蓋２の上面側の凹曲面２２の周縁側の一部には注出口２３が形成されている。注出口２３は飲用容器３に蓋２をしたままで内部の液体が飲めるようにするためのもので、例えばすくなくともストローが差し込める大きさになっている。使用に際してはストローを差し込んで飲んだり、直に口を注出口２３に押し当てて飲用容器３を傾けて内部の液体を飲めるようになっている。
【００１９】
蓋２の高さ方向の中間部分の外周側面には全周にわたって張り出す鍔片２４が突出形成されている。突出する鍔片２４の直径は飲用容器３の開口部の内径より大きい。鍔片２４はその下面が水平面状に形成されている。鍔片２４の水平面状の下面は、蓋２を飲用容器３の開口部に装着したとき、開口部の周縁上端に当接してストッパーの機能を果たし、蓋２が必要以上に飲用容器３の内部に押し込まれるのを防ぐ。
【００２０】
鍔片２４より下側の蓋２の外周側面には環状弾性係止体２１を装着するための装着溝２５が全周にわたって形成されている。装着溝２５の溝幅は環状弾性係止体２１の厚みより少し大きめに形成されていており、また装着溝２５の溝内の直径は弾性の環状弾性係止体２１の内径より少し小さくなっていて、弾性の環状弾性係止体２１は少し伸びた状態で装着されることになり、簡単に外れることがない。
【００２１】
鍔片２４より上側の蓋２の上部外周側面２６は凹曲面状になって上側に向けてその直径が小さくなっていて、注出口２３に直接口を付ける場合に下唇がその凹曲面状の上部外周側面２６に押し当て易いような形状に構成されている。
【００２２】
飲用容器３は、蓋２の環状弾性係止体２１が圧着する当該容器３の開口部位３１の内周側面３１ａが開口部位３１の内部側に向けて斜め上向きに傾けて形成されている。つまり、開口部位３１の内周側面３１ａの上端３１ｂの内径は、開口部位３１の内周側面３１ａの下端３１ｃの内径より小さくなっている。また、開口部位３１の内周側面３１ａは全周にわたって内部側に向けて僅かに張り出すようにして斜め上向きに傾けて形成されている。内周側面３１ａの傾きとしては直線的な傾きや曲面的な傾きなどがある。
【００２３】
開口部位３１の内周側面３１ａは内部側に向けて張り出すようにして斜め上向きに傾いているため、内周側面３１ａが内部の液体によって湿ってその表面の摩擦抵抗が小さくなって滑り易くなっても、環状弾性係止体２１に作用する弾性復帰力による上向きの力に対して、内周側面３１ａの傾きにより環状弾性係止体２１が上に向けて移動するのを阻止することができる。
【００２４】
飲用容器３の外周側面には把手３２が必要に応じて設けられている。把手３２が設けられている場合には、片手で把手３２を掴んで手軽に飲むことができ、飲用容器３内の液体が熱い場合に、飲用容器３の外周側面を直に掴んで手をやけどしたり、飲用容器３が熱すぎておもわず掴んでいた手を離して飲用容器３を誤って落としてしまうこともない。把手３２が設けられている場合には蓋付き飲用容器１はいわゆるマグカップとして使用されることになる。
【００２５】
次に、上記考案を実施するための最良の形態の構成に基づく蓋付き飲用容器の作用について以下説明する。
【００２６】
飲用容器３の内部の液体が冷えたり暖まったり、或いは溢れたりゴミが入らないように蓋２を飲用容器３の開口部に装着して開口部を塞ぐ。蓋２を飲用容器３の開口部に装着すると、蓋２の外周側面に装着された環状弾性係止体２１は、その外周側の直径が飲用容器３の開口部位３１の内径より大きいため、環状弾性係止体２１はその外周側が縮小して斜め上向きに傾いた状態で飲用容器３の開口部位３１の内周側面３１ａに圧着される。
【００２７】
蓋２で飲用容器３の開口部を塞ぐと、飲用容器３の内部は略密閉された状態に近くなり、飲用容器３の内周側面３１ａは該容器３内に入っている液体により湿り易くなる。そして、飲用容器３の内周側面３１ａが湿ることで、飲用容器３の開口部位３１の内周側面３１ａとこれに圧着している蓋２の環状弾性係止体２１との接触面の摩擦抵抗が小さくなって滑り易くなる。
【００２８】
ところで、飲用容器３の開口部位３１の内周側面３１ａとの間に圧着された蓋２の環状弾性係止体２１には、その外周側が縮小して斜め上向きに傾いた部分には元の状態に弾性復帰しようとする力が常時発生する。この発生する元の状態に弾性復帰しようとする弾性復帰力は環状弾性係止体２１を上向きに押し上げる向きに作用する。
【００２９】
これに対して、蓋２の環状弾性係止体２１が圧着する飲用容器３の開口部位３１の内周側面３１ａは内部側に向けて斜め上向きに傾けて形成され、上側に向かう程その内径が僅かずつであるが徐々に小さくなるため、蓋２の環状弾性係止体２１を上向きに押し上げる力を斜め上向きに傾けて形成した内周側面３１ａにより阻止するように働く。
【００３０】
これにより、環状弾性係止体２１の弾性復帰により蓋２が自然に外れ易くなるのを防ぐことができ、飲用容器３が傾いたり倒れたりしても、飲用容器３の開口部を塞いでいた蓋２が簡単に外れて内部の液体が漏れたり溢れたりすることがなく、漏れたり溢れたりする液体でその周囲を汚してしまうこともない。
【００３１】
続いて、飲用容器３の開口部を蓋２で塞いだままで、ストローを使用せずに内部の液体を飲む場合には、口を注出口２３に直に押し当て、把手３２を掴んで飲用容器３を傾けることで内部の液体は注出口２３を通じて口の中に入ることになる。
【００３２】
このとき、蓋２の表面側は凹曲面２２に形成されているため、注出口２３に唇を押し当てても、唇の上側にある鼻が蓋２の表面に当たることがない。鼻が蓋２の表面側に当たることで注出口２３に口を付けて飲みにくくなるという欠点を解消することができ、飲用容器３の開口部を蓋２で塞いで飲む利点、つまり内部の液体が熱いものの場合には冷めにくく、逆に内部の液体が冷たい場合には暖まりにくく、また内部の液体が開口部から溢れにくくするなどの利点をそのまま享受することができる。
【００３３】
また、注出口２３は蓋２の表面側の凹曲面２２の周縁側に形成されているため、上唇は窪んでいる凹曲面２２に当たり密着し易くなる。また、下唇が当たる蓋２の上部外周側面２６は上向きに直径が小さくなり窪んでいる凹曲面状に形成されているため、下唇も窪んでいる凹曲面状の上部外周側面２６に当たり密着し易くなる。
【００３４】
このように、上唇及び下唇は共に蓋２の表面側の凹曲面２２と上部外周側面２６に密着し易いため、飲みやすくなる。また、注出口２３に押し当てる唇との間に隙間が生じることがなく、飲用容器３を大きく傾けても、飲んでいる最中に液体の一部が漏れ出ることもない。
【００３５】
なお、この考案は上記考案を実施するための最良の形態に限定されるものではなく、この考案の精神を逸脱しない範囲で種々の改変をなし得ることは勿論である。
【図面の簡単な説明】
【００３６】
【図１】この考案を実施するための最良の形態を示す蓋付き飲用容器の斜視図である。
【図２】この考案を実施するための最良の形態を示す蓋付き飲用容器の側面図である。
【図３】この考案を実施するための最良の形態を示す蓋付き飲用容器の平面図である。
【図４】この考案を実施するための最良の形態を示す環状弾性係止体の斜視図である。
【図５】図３のＡ−Ａ矢視断面図である。
【図６】この考案を実施するための最良の形態を示す要部の部分拡大断面図である。
【図７】この考案を実施するための最良の形態を示す飲料時の断面図である。
【図８】従来説明図である。
【符号の説明】
【００３７】
１    蓋付き飲用容器
２    蓋
２１    環状弾性係止体
２２    凹曲面
２３    注出口
２４    鍔片
２５    装着溝
２６    上部外周側面
３    飲用容器
３１    開口部位
３１ａ  内周側面
３１ｂ  上端
３１ｃ  下端
３２    把手
【図１】
0003124841.tif 000003
【図２】
0003124841.tif 000004
【図３】
0003124841.tif 000005
【図４】
0003124841.tif 000006
【図５】
0003124841.tif 000007
【図６】
0003124841.tif 000008
【図７】
0003124841.tif 000009
【図８】
0003124841.tif 000010